(57)【要約】【課題】  電気部品の配置や向き等の接続の自由度を増して、生産性を向上することのできる誘導灯を提供する。【解決手段】  各電気部品２１、２２、２３に接続端子２１１、２３１を設け、接続端子２１１、２３１を介して電気部品２１、２２、２３を接続するので、配線の必要がなく、着脱が容易になり、生産性を向上させることができる。また、接続端子２１１、２３１の接続方向が多方向なので、電気部品２１、２２、２３の取り付け方向の自由度が増し、種々の形状の誘導灯１０に対して共通の電気部品２１、２２、２３を用いることが可能になる。【選択図】  図１
2010257826.tif 000002
【特許請求の範囲】
【請求項１】
ランプ、点灯回路、電源端子台、非常点灯用蓄電池等の電気部品を有する誘導灯であって、
前記電気部品に接続端子を各々設け、
前記点灯回路と前記電源端子台との接続および前記点灯回路と前記蓄電池との接続を前記接続端子を介して直接接続することを特徴とする誘導灯。
【請求項２】
前記点灯回路と前記電源端子台との間の接続端子の接続方向および前記点灯回路と前記蓄電池との間の接続端子の接続方向が、多方向で接続可能であることを特徴とする請求項１記載の誘導灯。
【発明の詳細な説明】
【技術分野】
【０００１】
本発明は、ランプ、点灯回路、電源端子台、非常点灯用蓄電池等の電気部品を有する誘導灯に関するものである。
【背景技術】
【０００２】
従来より、誘導灯等の非常用照明器具において、電気部品を接続部を介して直接接続することが行われている（例えば、特許文献１参照）。
図１０に示すように、特許文献１に記載の非常用照明器具１００は、下面が開口した器具本体１０１を有し、器具本体１０１は天井面に埋め込み設置される。器具本体１０１の開口部１０２には、光源であるランプ１０３及びランプ１０３の光を下方へ照射する反射体１０４が設けられている。
【０００３】
器具本体１０１内部における反射体１０４等の上側には、商用電源に接続されて電力の供給を受ける電源端子台１０５、停電時の電源となる電源電池１０７、電源電池１０７を充電するための充電用トランス１０６、電気部品を制御する回路基板１０８等が配設されている。各電気部品間は、配線を用いずに、接続部（例えば、接続部１０９）を介して直接接続されている。
【先行技術文献】
【特許文献】
【０００４】
【特許文献１】特開平５−０７４２０７号公報（第１図）
【発明の概要】
【発明が解決しようとする課題】
【０００５】
しかしながら、前述したような従来の誘導灯においては、各電気部品の配置に応じて接続端子の位置や向きが決まっているため、電気部品の位置を変えたり、別の部品を接続する等の自由度がなく、生産性の向上が望まれている。
【０００６】
本発明は、従来の問題を解決するためになされたもので、電気部品の配置や向き等の接続の自由度を増して、生産性を向上することのできる誘導灯を提供することを目的とする。
【課題を解決するための手段】
【０００７】
本発明の誘導灯は、ランプ、点灯回路、電源端子台、非常点灯用蓄電池等の電気部品を有する誘導灯であって、前記電気部品に接続端子を各々設け、前記点灯回路と前記電源端子台との接続および前記点灯回路と前記蓄電池との接続を前記接続端子を介して直接接続する構成を有している。
【０００８】
この構成により、ランプ、点灯回路、電源端子台、非常点灯用蓄電池等の各電気部品に接続端子を設け、接続端子を介して各電気部品を直接接続するので、配線の必要がなく、着脱が容易になり、生産性を向上させることができる。
【０００９】
また、本発明の誘導灯は、前記点灯回路と前記電源端子台との間の接続端子の接続方向および前記点灯回路と前記蓄電池との間の接続端子の接続方向が、多方向で接続可能である構成を有している。
【００１０】
この構成により、点灯回路と電源端子台との間の接続端子の接続方向および点灯回路と蓄電池との間の接続端子の接続方向が多方向なので、電気部品の取り付け方向の自由度が増し、種々の形状の誘導灯に対して共通の電気部品を用いることが可能になる。
【発明の効果】
【００１１】
本発明は、各電気部品に接続端子を設け、接続端子を介して電気部品を接続するので、配線の必要がなく、着脱が容易になり、生産性を向上させることができる。また、接続端子の接続方向が多方向なので、電気部品の取り付け方向の自由度が増し、種々の形状の誘導灯に対して共通の電気部品を用いることが可能になるという効果を有する誘導灯を提供することができるものである。
【図面の簡単な説明】
【００１２】
【図１】（Ａ）は本発明の第１実施形態にかかる誘導灯の斜視図、（Ｂ）は分解斜視図、（Ｃ）は器具本体の内部を示す斜視図
【図２】点灯回路と電源端子台の接続部を示す斜視図
【図３】点灯回路と電源端子台を平面的に接続した状態を示す斜視図
【図４】点灯回路と電源端子台を平面的に接続して連結した状態を示す斜視図
【図５】多方向に嵌合可能な接続部を示す斜視図
【図６】点灯回路と電源端子台を直角に接続した状態を示す斜視図
【図７】天井から吊り下げる形式の誘導灯の分解斜視図
【図８】天井から吊り下げるタイプの誘導灯における器具本体の内部に互いに直角に連結されて収容されている電源端子台および点灯回路の斜視図
【図９】本発明の第２実施形態にかかる誘導灯における点灯回路と電源端子台の接続部を示す斜視図
【図１０】従来の非常用照明器具の断面図
【発明を実施するための形態】
【００１３】
（第１実施形態）
以下、本発明の第１実施形態の誘導灯について、図面を用いて説明する。
図１（Ａ）は本発明の第１実施形態にかかる誘導灯の斜視図、（Ｂ）は分解斜視図、（Ｃ）は器具本体の内部を示す斜視図である。
図１に示すように、誘導灯１０は、壁１２に取り付けられて、例えば、非常時の暗闇において人を非常口へと導くための照明である。この誘導灯１０は、壁１２に取り付けられ前面が開口した矩形箱状の器具本体２０と、器具本体２０の前面に取り付けられて例えば非常口を示す表示を有する透光性を有する表示パネル３０と、表示パネル３０を照らす光源であるランプユニット４０を有する。
【００１４】
ランプユニット４０は線状の光源であり、例えば、多数のＬＥＤを長手方向に並べて下方へ光を照射するものを用いることができる。
表示パネル３０は、ランプユニット４０の下方に導光板３１を有し、導光板３１の前面に表示部３２を有する。これにより、ランプユニット４０からの照射光は導光板３１の上端面である入射面から入射し、導光板３１の出射面である前面から均一に光を出射して、表示部３２を表示する。
【００１５】
器具本体２０内部には、ランプユニット４０に電力を供給して光を照射するための電気部品として、電源端子台２１、蓄電池２２、点灯回路２３等を有する。電源端子台２１は商用電源に接続されており、常時に商用電源からの電力の供給を受ける。蓄電池２２は電源端子台２１に接続されており、常時は電力の供給を受けて常に充電状態を保つ。器具本体２０の上部には、ランプユニット４０を取り付けるための一対のソケット２４、２４が設けられており、電線２５により点灯回路２３に接続されている。
【００１６】
点灯回路２３は、電源端子台２１および蓄電池２２に接続されており、常時は商用電源から電力の供給を受け、停電時には蓄電池２２から電力の供給を受けて、ランプユニット４０を点灯させる。あるいは、点灯回路２３を蓄電池２２に接続して、常に蓄電池２２を介して電力の供給を受けるようにすることもできる。
【００１７】
電源端子台２１、蓄電池２２、点灯回路２３には各々接続端子が設けられており、接続端子同士を直接接触させることにより、電気的導通を行う。例えば、点灯回路２３と電源端子台２１との接続および点灯回路２３と蓄電池２２との接続は、接続端子を介して直接接続する
【００１８】
図２は点灯回路２３と電源端子台２１の接続部を示す斜視図、図３は点灯回路２３と電源端子台２１を接続した状態を示す斜視図である。
図２に示すように、電源端子台２１において点灯回路２３に対抗する面には、接続端子である刃端子２１１が複数個突出して設けられている。一方、点灯回路２３において電源端子台２１と対抗する面には、刃端子２１１に接続される接続端子である受端子２３１が複数個設けられている。
【００１９】
従って、図３に示すように、電源端子台２１の刃端子２１１を、点灯回路２３の受端子２３１に差し込んで、電線を介することなく直接接続する。
このとき、図４に示すように、電源端子台２１に係止凸部２１２を設けるとともに、点灯回路２３に係止凹部２３２を設けておき、係止凸部２１２を係止凹部２３２に嵌合させることにより連結するのが望ましい。これにより、接続端子２１１、２３１に負荷をかけることなく、確実に接合することができる。
【００２０】
また、図５に示すように、係止凸部２１３および係止凹部２３３を、例えば、正多角形状として多方向で嵌合可能とすることにより、前述した図３に示すように平面的に接続したり、図６に示すように、直角に接続することができる。
図３に示すように平面的に接続した場合は、図１において前述したように、壁１２に取り付ける場合に適する。
一方、図６に示すように、電源端子台２１と点灯回路２３とを直角に接続した場合には、図７に示すように、天井１１から吊り下げるタイプの誘導灯１０Ｂに適する。
【００２１】
図７は、天井から吊り下げて使用する誘導灯１０Ｂの分解斜視図が示してある。なお、図７では、図１において前述した壁に取り付けるタイプの誘導灯１０と共通する部位には同じ符号を付して、重複する説明を省略する。
【００２２】
図７に示すように、天井１１から吊り下げて使用するタイプの誘導灯１０Ｂでは、天井１１に取り付けられ下方に開口した箱状の器具本体２０Ｂと、表示パネル３０と、表示パネル３０を器具本体２０ｂの下方へ吊り下げるための枠３３を有する。枠３３は矩形板状部材であり、中央に表示パネルが貫通する切欠き３３１を有し、器具本体２０Ｂの開口を覆う。器具本体２０Ｂの内部には、電源端子台２１、蓄電池２２（図１参照）、点灯回路２３およびランプユニット４０等が収容されている。
【００２３】
図８に示すように、器具本体２０Ｂの内部に収容されている電源端子台２１および点灯回路２３は、直角に連結されており（図６参照）、天井１１から吊り下げるタイプの誘導灯１０Ｂに適した配置となっている。
【００２４】
以上、説明した第１実施形態にかかる誘導灯１０、１０Ｂでは、電源端子台２１に刃端子２１１を設けるとともに、点灯回路２３に受端子２３１を設け、刃端子２１１と受端子２３１の直接接続により両電気部品を接続するので、配線の必要がなく、着脱が容易になり、生産性を向上させることができる。
【００２５】
また、電源端子台２１の刃端子２１１と点灯回路２３の受端子２３１との間の接続方向を、多方向に接続可能としたので、取り付け方向の自由度が増し、壁掛けタイプの誘導灯１０および天井面に吊り下げるタイプの誘導灯１０Ｂに対して共通の電源端子台２１および点灯回路２３電気部品を用いることが可能になる。
【００２６】
さらに、電源端子台２１を点灯回路２３に対して適切な角度で連結することにより、誘導灯１０、１０Ｂの小型化を図ることができる。
【００２７】
（第２実施形態）
次に、本発明の第２実施形態の誘導灯について、図面を用いて説明する。なお、前述した第１実施形態にかかる誘導灯と共通する部位には同じ符号を付して、重複する説明を省略することとする。
図９は、本発明の第２実施形態にかかる誘導灯における点灯回路と電源端子台の接続部を示す斜視図である。
【００２８】
図９に示すように、電源端子台２１Ｃに対して回転軸２１５回りに回転可能なホルダ２１４を設け、このホルダ２１４に刃端子２１１を設ける。また、ホルダ２１４の側面には、固定用凸部２１６が設けられている。一方、点灯回路２３には一対の支持アーム２３４が突出して設けられており、支持アーム２３４には電源端子台２１Ｃの固定用凸部２１６に対応して固定用凹部２３５が設けられている。
【００２９】
従って、電源端子台２1Ｃの刃端子２１１を点灯回路２３の受端子２３１に差し込み、電源端子台２１Ｃの固定用凸部２１６を点灯回路２３の固定用凹部２３５に嵌合させることにより、電源端子台２１Ｃと点灯回路２３を接続する。この際、電源端子台２１Ｃは、回転軸２１５回りに回転可能なので、任意の方向に取り付け可能である。
【００３０】
以上、説明した第２実施形態にかかる誘導灯１０Ｂによれば、前述した第１実施形態にかかる誘導灯１０と同様の作用・効果を得ることができる。また、電源端子台２１Ｃは点灯回路２３に対して回転可能に設けられているので、多方向に接続可能であり、電気部品の配置の自由度が増す。
【００３１】
なお、本発明の誘導灯は、前述した各実施形態に限定されるものでなく、適宜な変形，改良等が可能である。
例えば、前述した各実施形態においては、電源端子台２１と点灯回路２３との接続について例示したが、そのほか、点灯回路２３と蓄電池２２との接続等、その他の電気部品間の接続にもまったく同様に、適用可能である。
【符号の説明】
【００３２】
１０  誘導灯
２１  電源端子台
２１１  刃端子（接続端子）
２２  蓄電池
２３  点灯回路
２３１  受端子（接続端子）
４０  ランプユニット（ランプ）
【図１】
2010257826.tif 000003
【図２】
2010257826.tif 000004
【図３】
2010257826.tif 000005
【図４】
2010257826.tif 000006
【図５】
2010257826.tif 000007
【図６】
2010257826.tif 000008
【図７】
2010257826.tif 000009
【図８】
2010257826.tif 000010
【図９】
2010257826.tif 000011
【図１０】
2010257826.tif 000012